(57)【要約】【課題】ノーファインダ撮影の状態を確実に検出し、被写体の傾きが気にならない画像を撮影することのできるカメラを提供する。【解決手段】撮影レンズが設けられた面の反対の外観面に、撮影者の目から所定距離離間して観察されるタイプである被写体視認用の表示部２７を有するカメラにおいて、撮影レンズが開放され、かつ表示部２７が撮影者の身体または所持する用具の少なくともにいずれかによって塞がれた状態であることを検出し、かつ撮影者の身に付けられている状態であるノーファインダ状態であることを判定するノーファインダ判定部１１ｄと、ノーファインダと判定された状態で撮影された画像について、その画面の一部を円形でトリミングした円形画像として記録させる記録制御部１１eを備える。【選択図】  図１
2011087167.tif 000002
【特許請求の範囲】
【請求項１】
撮影レンズが設けられた面の反対の外観面に、撮影者の目から所定距離離間して観察されるタイプである被写体視認用の表示部を有するカメラにおいて、
上記撮影レンズが開放され、かつ上記画像表示部が撮影者の身体または所持する用具の少なくともにいずれかによって塞がれた状態であることを検出し、かつ撮影者の身に付けられている状態であるノーファインダ状態であることを判定するノーファインダ判定部と、
上記ノーファインダと判定された状態で撮影された画像について、その画面の一部を円形でトリミングした円形画像として記録させる記録制御部と、
を備えることを特徴とするカメラ。
【請求項２】
上記表示部が設けられた面に配置される発光部と、
上記撮影者の身体または所持する用具の少なくともいずれかによって反射された上記発光部から発光光を受光する受光部と、
上記受光部の出力を検出する反射検出部と、を備え、
上記ノーファインダ判定部は、上記反射検出部による出力によりノーファインダ状態を判定することを特徴とする請求項１に記載のカメラ。
【請求項３】
上記表示部にはタッチパネルが備えられ、
上記発光部は、上記表示部に内蔵されたバックライトであり、
上記受光部は、上記タッチパネルに内蔵され、上記タッチパネル面に置かれる指からの反射光を受光して指の操作を検出する受光センサである、
ことを特徴とする請求項２に記載のカメラ。
【請求項４】
上記ノーファインダ状態での撮影時に、画面の傾きにつながる当該カメラの傾きを検出する傾き検出部と、
上記検出されたカメラの傾きに応じて、円形画像の画面の傾きを補正する傾き補正部と、を備え、
上記記録制御部は、上記傾き補正部によって補正された円形画像を記録させることを特徴とする請求項１に記載のカメラ。
【請求項５】
上記カメラの姿勢を検出する加速度検出部を備え、
上記傾き検出部は、上記加速度検出部で検出された重力加速度により当該カメラの傾きを検出することを特徴とする請求項４に記載のカメラ。
【請求項６】
上記ノーファインダ状態での撮影時に、上記加速度検出部により検出された上記カメラに対するタップ操作によって、撮影開始を指示する入力検出部を備えることを特徴とする請求項５に記載のカメラ。
【請求項７】
再生時に撮影画像を上記表示部に表示させる表示制御部を備え、
上記表示制御部は、再生時のインデックス画面表示時には、円形画像として記録されていない画像についてもその画面の一部を円形でトリミングした円形画像として、上記ノーファインダ状態で撮影された上記円形画像と並べて表示させることを特徴とする請求項１に記載のカメラ。
【請求項８】
上記表示制御部は、上記インデックス画面上の各円形画像について、各画像の鉛直軸が上記表示部の画面の中央から外側に向かって略放射状に並ぶように、上記各円形画像を回転させて表示させることを特徴とする請求項７に記載のカメラ。
【請求項９】
撮影レンズが設けられた面の反対の外観面に、撮影者の目から所定距離離間して観察されるタイプである被写体視認用の表示部を有するカメラにおいて、
上記表示部によって被写体を確認せずに撮影を行うノーファインダ状態であるか否かを判定するノーファインダ判定部と、
上記ノーファインダと判定された状態で撮影された画像について、その画面の一部を円形でトリミングした円形画像として記録させる記録制御部と、
を備えることを特徴とするカメラ。
【請求項１０】
上記ノーファインダ判定部は、
（１）上記撮影レンズが開放され、
（２）上記画像表示部が撮影者の身体または所持する用具の少なくともにいずれかによって塞がれた状態であり、
（３）当該カメラが撮影者によって把持されておらず、かつ撮影者の身に付けられている状態である
の条件の内、少なくとも１つを満すか否かを判定することを特徴とする請求項９に記載のカメラ。
【請求項１１】
撮影レンズが設けられた面の反対の外観面に、撮影者の目から所定距離離間して観察されるタイプである被写体視認用の表示部を有するカメラにおいて、
上記表示部によって被写体を確認せずに撮影を行うノーファインダ状態であるか否かを判定するノーファインダ判定部と、
上記ノーファインダ状態での撮影時に、画面の傾きにつながる当該カメラの傾きを検出する傾き検出部と、
上記検出されたカメラの傾きに応じて、画像の画面の傾きを補正する傾き補正部と、
上記ノーファインダと判定された状態で撮影された画像について、上記傾き補正部によって上記傾き補正部によって補正した画像を記録させる記録制御部と、
を備えることを特徴とするカメラ。
【発明の詳細な説明】
【技術分野】
【０００１】
本発明は、カメラに関し、詳しくは、ファインダを通して構図を決めることなく行うノーファインダ撮影を可能にするカメラに関する。
【背景技術】
【０００２】
近年、カメラのデジタル化が進むことにより、内部機構のレイアウトの自由度が向上し、小型化や携帯性が改善されてきている。このため、ウエラブルで撮影できるカメラデザインが可能となってきている。つまり、薄型にすることによりポケットに入れたり、軽量化することによってクリップで留めたり、ストラップでアクセサリ代わりに保持する方法等が可能になってきている。
【０００３】
また、アウトドア等では両手がふさがっている場合が多く、ウエラブルで撮影を行いたい場合がある。両手が空いている通常の撮影の場合には、図１６（ａ）に示すように、カメラ１００の左右を両手で把持し、背面に設けられた表示部１２７を観察しながら、構図を決めて撮影する。両手でカメラ１００をしっかり保持していることから、意図に反して被写体が傾いて撮影されるおそれがない。しかし、カメラ１００がポケット１１０に入れられた状態では、図１６（ｂ）に示すように、カメラ１００の背面に設けられたファインダ（表示部）を確認することができず、またポケット１１０の中でカメラ１００が傾き、場合によっては撮影者の姿勢等により、正しいフレーミングができない。このため、図１６（ｃ）に示すように、左右に傾いた画像が撮影されることが多い。
【０００４】
傾いて撮影された画像については、傾きを補正可能なカメラは種々提案されている。例えば、特許文献１には、撮影時に傾きを検出し、この傾きデータを画像と共に記録しておき、再生時に傾きを補正するカメラが開示されている。
【先行技術文献】
【特許文献】
【０００５】
【特許文献１】特開２００４−３４３４７６号公報
【発明の概要】
【発明が解決しようとする課題】
【０００６】
前述したように、撮影時に傾いた画像については再生時に補正することは種々提案されている。しかし、図１６（ｂ）に示したような状況で、ファインダによって被写体を確認せずに行う撮影（以下、「ノーファインダ撮影」という）については、何ら提案されていない。ノーファインダ撮影を自動的に検出し、被写体の傾きを自動的に補正することができれば、より自由な状態で撮影を行うことができ、今まで撮影できなかったような画像も撮影することが可能となる。
【０００７】
ノーファインダ撮影ではしばしばカメラが傾いていたり、撮影された被写体が傾いていたりするが、しかし、このような状態が検出された場合であっても、必ずしもノーファインダ撮影であるとは限らない。なぜなら、撮影者が意識的にカメラを傾けている場合もあれば、被写体が斜めになっている場合も少なからずあるからである。ノーファインダ撮影でないにも関わらず、カメラが誤認しノーファインダ撮影における補正処理を行うと、撮影者の意図に反した画像となってしまう。そこで、ノーファインダ撮影であることを確実に検出し、ノーファインダ撮影に適した記録処理を行うことができれば、撮影者自身の行動度の自由度が広がり、特に野外やスポーツ等、活動的な場面での撮影がより可能となる。
【０００８】
本発明は、このような事情を鑑みてなされたものであり、ノーファインダ撮影の状態を確実に検出し、被写体の傾きが気にならない画像を撮影することのできるカメラを提供することを目的とする。
【課題を解決するための手段】
【０００９】
上記目的を達成するため第１の発明に係わるカメラは、撮影レンズが設けられた面の反対の外観面に、撮影者の目から所定距離離間して観察されるタイプである被写体視認用の表示部を有するカメラにおいて、上記撮影レンズが開放され、かつ上記画像表示部が撮影者の身体または所持する用具の少なくともにいずれかによって塞がれた状態であることを検出し、かつ撮影者の身に付けられている状態であるノーファインダ状態であることを判定するノーファインダ判定部と、上記ノーファインダと判定された状態で撮影された画像について、その画面の一部を円形でトリミングした円形画像として記録させる記録制御部と、を備える。
【００１０】
第２の発明に係わるカメラは、上記第１の発明において、上記表示部が設けられた面に配置される発光部と、上記撮影者の身体または所持する用具の少なくともいずれかによって反射された上記発光部から発光光を受光する受光部と、上記受光部の出力を検出する反射検出部と、を備え、上記ノーファインダ判定部は、上記反射検出部による出力によりノーファインダ状態を判定する。
第３の発明に係わるカメラは、上記第２の発明において、上記表示部にはタッチパネルが備えられ、上記発光部は、上記表示部に内蔵されたバックライトであり、上記受光部は、上記タッチパネルに内蔵され、上記タッチパネル面に置かれる指からの反射光を受光して指の操作を検出する受光センサである。
【００１１】
第４の発明に係わるカメラは、上記第１の発明において、上記ノーファインダ状態での撮影時に、画面の傾きにつながる当該カメラの傾きを検出する傾き検出部と、上記検出されたカメラの傾きに応じて、円形画像の画面の傾きを補正する傾き補正部と、を備え、上記記録制御部は、上記傾き補正部によって補正された円形画像を記録させる。
第５の発明に係わるカメラは、上記第４の発明において、上記カメラの姿勢を検出する加速度検出部を備え、上記傾き検出部は、上記加速度検出部で検出された重力加速度により当該カメラの傾きを検出する。
第６の発明に係わるカメラは、上記第５の発明において、上記ノーファインダ状態での撮影時に、上記加速度検出部により検出された上記カメラに対するタップ操作によって、撮影開始を指示する入力検出部を備える。
【００１２】
第７の発明に係わるカメラは、上記第１の発明において、再生時に撮影画像を上記表示部に表示させる表示制御部を備え、上記表示制御部は、再生時のインデックス画面表示時には、円形画像として記録されていない画像についてもその画面の一部を円形でトリミングした円形画像として、上記ノーファインダ状態で撮影された上記円形画像と並べて表示させる。
第８の発明に係わるカメラは、上記第７の発明において、上記表示制御部は、上記インデックス画面上の各円形画像について、各画像の鉛直軸が上記表示部の画面の中央から外側に向かって略放射状に並ぶように、上記各円形画像を回転させて表示させる。
【００１３】
第９の発明に係わるカメラは、撮影レンズが設けられた面の反対の外観面に、撮影者の目から所定距離離間して観察されるタイプである被写体視認用の表示部を有するカメラにおいて、上記表示部によって被写体を確認せずに撮影を行うノーファインダ状態であるか否かを判定するノーファインダ判定部と、上記ノーファインダと判定された状態で撮影された画像について、その画面の一部を円形でトリミングした円形画像として記録させる記録制御部と、を備える。
第１０の発明に係わるカメラは、上記第９の発明において、上記ノーファインダ判定部は、（１）上記撮影レンズが開放され、（２）上記画像表示部が撮影者の身体または所持する用具の少なくともにいずれかによって塞がれた状態であり、（３）当該カメラが撮影者によって把持されておらず、かつ撮影者の身に付けられている状態であるの条件の内、少なくとも１つを満すか否かを判定する。
【００１４】
第１１の発明に係わるカメラは、撮影レンズが設けられた面の反対の外観面に、撮影者の目から所定距離離間して観察されるタイプである被写体視認用の表示部を有するカメラにおいて、上記表示部によって被写体を確認せずに撮影を行うノーファインダ状態であるか否かを判定するノーファインダ判定部と、上記ノーファインダ状態での撮影時に、画面の傾きにつながる当該カメラの傾きを検出する傾き検出部と、上記検出されたカメラの傾きに応じて、画像の画面の傾きを補正する傾き補正部と、上記ノーファインダと判定された状態で撮影された画像について、上記傾き補正部によって上記傾き補正部によって補正した画像を記録させる記録制御部と、を備える。
【発明の効果】
【００１５】
上記第１の発明によれば、ノーファインダ撮影の状態を確実に検出し、被写体の傾きが気にならない画像を撮影することのできるカメラを提供することができる。また、傾いた画像が多数撮影されるノーファインダ画像の際には、撮影画像を円形にトリミングして記録するようにしたので、傾いて撮影されても、通常の矩形の画像に比較し鑑賞時の違和感が少ない。
【００１６】
上記第２の発明によれば、反射光によりノーファインダ状態を検出するので、撮影に支障なく検出することができる。
上記第３の発明によれば、タッチパネルのセンサがそのまま利用でき、新たなセンサを設ける必要がないので、カメラボディの省スペースにつながる。
【００１７】
上記第４の発明によれば、傾きが補正されるので、ノーファインダ撮影の利用用途が高まる。
上記第５の発明によれば、加速度検出部によって姿勢を検知するので、加速度センサのセンサをそのまま利用でき、新たなセンサを設ける必要がないので、カメラボディの省スペースにつながる。
上記第６の発明によれば、タップ操作で撮影が実行できるので、通常のレリーズ動作がしずらいノーファインダ状態でも、簡単に撮影指示ができる。
【００１８】
上記第７の発明によれば、円形と矩形を混在させないで、円形で統一するようにしたので、インデックス画面として統一感が維持される。
上記第８の発明によれば、カメラを囲んで色々な方向から同時に鑑賞できるという、新たな鑑賞法が提案できる。
【００１９】
上記第９の発明によれば、ノーファインダ状態で撮影する場合には円形画像を記録するようにしたので、傾いた画像が記憶されたとしても、通常の矩形の画像に比較し、見たときの違和感を和らげることができる。
上記第１０の発明によれば、ノーファインダ状態を確実に判定することができる。
上記第１１の発明によれば、ノーファインダ状態と判定されると、撮影画像に対して傾き補正を施した後に記録しているので、再生時に傾き補正を行うことなく、直ちに傾きのない画像を鑑賞することができる。
【図面の簡単な説明】
【００２０】
【図１】本発明の一実施形態に係わるカメラの構成を示すブロック図である。
【図２】本発明の一実施形態に係わるカメラのタッチパネルの構造と使用状態を示す図であり、（ａ）は指が近付いているときのタッチパネルの断面図であり、（ｂ）は表面に指が密着したときのタッチパネルの断面図であり、（ｃ）はカメラがポケットに入れられたときのタッチパネルの断面図である。
【図３】本発明の一実施形態に係わるカメラにおいて、カメラの背面が覆われたことを検出する他の手段の例であり、（ａ）は専用のセンサを設けた例を示す背面図であり、（ｂ）はカメラの背面に自分撮り用の撮像部を有するカメラの背面図である。
【図４】本発明の一実施形態に係わるカメラの加速度検出部の構造と作用を示す図であり、（ａ）は加速度センサの構造を示す斜視図であり、（ｂ）は加速度センサのカメラ内における配置を示す斜視図であり、（ｃ）は加速度センサの信号出力を示すグラフである。
【図５】本発明の一実施形態におけるカメラにおいて、カメラの姿勢を変化させたときの加速度センサの出力の変化を示すグラフである。
【図６】本発明の一実施形態に係わるカメラの撮影モードの動作を示すフローチャートである。
【図７】本発明の一実施形態に係わるカメラのノーファインダ判定の動作を示すフローチャートである。
【図８】本発明の一実施形態に係わるカメラにおいて、撮影画像から円形画像を生成し、さらに傾き補正を行う様子を示す図である。
【図９】本発明の一実施形態に係わるカメラにおいて、ノーファインダ状態を検出する他の手段の例を示す図である。
【図１０】本発明の一実施形態に係わるカメラの再生モードの動作を示すフローチャートである。
【図１１】本発明の一実施形態に係わるカメラにおいて、再生時における再生画像を示す図である。
【図１２】本発明の一実施形態に係わるカメラにおいて、再生時にインデックス表示を行った際の再生画像を示す図である。
【図１３】本発明の一実施形態に係わるカメラにおいて、ストラップを有するカメラの外観とノーファインダ撮影の例を示す図である。
【図１４】本発明の一実施形態に係わるカメラにおいて、クリップを有するカメラの外観とノーファインダ撮影の例を示す図である。
【図１５】本発明の一実施形態に係わるカメラにおいて、ノーファインダ撮影を行っている様子を示す図である。
【図１６】従来におけるカメラ撮影を説明する図である。
【発明を実施するための形態】
【００２１】
以下、図面に従って本発明を適用したカメラを用いて好ましい実施形態について説明する。本発明の好ましい実施形態に係わるカメラ１０は、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データを記録媒体に記録し、このとき併せて撮影日時、撮影モード等の情報を記録する。また、記録媒体に記録した撮影画像は、再生モードを選択すると、表示部に再生表示することができる。
【００２２】
このカメラ１０の詳細な構成を説明する前に、まず、本実施形態におけるノーファインダ撮影について、図１３ないし図１５を用いて説明する。図１３は、カメラストラップ１０８を利用したノーファインダ撮影の態様を示す図である。ストラップ取り付け位置を切り換えできるカメラでは、ストラップ１０８等は、アクセサリ感覚で、カメラ１０への取り付けを選択されるため、カメラ１０の上下左右を、撮影画面の水平線や鉛直線方向に合わせることは困難であった。ユーザの好みによって、カメラ１０の保持姿勢が種々変化するからである。
【００２３】
図１３（ａ）は、カメラ１０を背面から見た外観斜視図であり、このカメラ１０の背面の大部分に表示部２７の表示画面が露呈している。また、カメラ１０の短辺側には、カメラのグリップ部が設けてあり、このグリップ部の上下の２か所に、ストラップ１０８を取り付けるためのストラップピン１０４が１本ずつ設けられている。
【００２４】
図１３（ｂ）は、２本のストラップピン１０４の両方にストラップ１０８が通され、このカメラ１０を撮影者の首にかけた状態を示す図である。この状態では、カメラ１０の上下左右と、撮影画面の水平線と鉛直線の方向が比較的一致しやすい。図１３（ｃ）は、２本のストラップピン１０４の片方にストラップ１０８が通され、このカメラ１０を撮影者の首にかけた状態を示す図である。この状態では、カメラ１０の撮影レンズ１０６は前を向いているが、カメラ１０の上下左右と、撮影画面の水平線と鉛直線は一致し難い。
【００２５】
また、図１３（ｄ）は、撮影者の腕に鞄１１２と共にカメラ１０のストラップ１０８を通した状態を示す図である。この状態も、カメラ１０の撮影レンズ１０６は前を向いているが、カメラ１０の上下左右と、撮影画面の水平線と鉛直線の方向は一致し難いといえる。この場合、鞄１１２の傾きにカメラ１０の傾きも加わり、撮影時の画面の傾きを予想することは困難である。
【００２６】
図１４は、クリップ付きカメラを利用したノーファインダ撮影の態様を示す図である。カメラ１０には、図１４（ａ）に示すように、背面に表示部２７が設けられていると共に、クリップ１０９が設けられている。このクリップ１０９によって、図１４（ｂ）（ｃ）に示すように、撮影者のポケット１１０にカメラ１０を取り付けることができる。カメラ１０のポケット１１０への取り付け角度は、図１４（ｂ）ではカメラ１０の上下左右と、撮影画面の水平線と鉛直線の方向が略一致しているが、しかし、図１４（ｃ）に示す例では、これらの方向が一致していない。この角度は撮影者の好み等により変化することから、カメラ画面の傾きを予想することは、この場合でも困難である。
【００２７】
図１５（ｂ）は、撮影者がカメラ１０を手に持った状態でノーファインダ撮影を行っている様子を示す。通常の撮影にあたっては、図１５（ａ）に示すように、撮影者はカメラ１０から十分離し、表示部に表示されるライブビュー表示を観察しながら、構図を決定する。ノーファインダ撮影では、図１５（ｂ）に示すように、撮影者はカメラ１０を提げ、カメラ１０の背面に配置された表示部を観察することなく、撮影を行う。この状態では、カメラ１０の撮影レンズは、被写体の方向を向いており、かつカメラ１００の背面側は撮影者に近接している。
【００２８】
次に、本発明の一実施形態に係わるカメラ１０の構成について、図１に示すブロック図を用いて説明する。カメラ１０内には、制御部（ＣＰＵ：Central Processing Unit）１１が設けられており、この制御部１１は、プログラム／データ記憶部１２に記憶された制御プログラムに従って動作し、カメラ１０の全体制御を行う。制御部１１内には、反射検出部１１ａ、傾き検出部１１ｂ、入力検出部１１ｃ、ノーファインダ判定部１１ｄ、記録制御部１１ｅ、表示制御部１１ｆが設けられている。制御部１１内の１１ａ〜１１ｆは、制御プログラムにより実行される処理の一部であるので、制御部１１に含まれる機能部として説明する。
【００２９】
反射検出部１１ａは、タッチパネル１４からの反射光を検出し、表示部２７上での指のタッチ位置や動きを検出する。また、後述するように、反射光がタッチパネル１４の全体で検出された場合には、タッチパネル１４の全体が覆われている場合であり、ノーファインダ状態を検出するための一手段となる。傾き検出部１１ｂは、加速度検出部１５から重力加速度の検知結果を入力し、カメラの傾き等、姿勢を検知する。この傾き検出も、ノーファインダ状態を検出するための一手段となる。
【００３０】
入力検出部１１ｃは、操作部１３から出力される各信号を入力し、操作部１３の操作状態を検出する。制御部１１は、入力検出部１１ｃおよび反射検出部１１ａ等の検出結果に応じて、カメラの制御を行う。すなわち、反射検出部１１ａおよび入力検出部１１ｃの検出結果に応じて、撮影モードや再生モードの設定、露出やピント調節などの撮影パラメータの変更等を行う。また、再生時には、画像の切換操作を受け付ける。
【００３１】
ノーファインダ判定部１１ｄは、反射検出部１１ａと傾き検出部１１ｂからの検出結果を判断し、カメラ１０がポケット内にある等、ノーファインダ状態にあるかを判定する。ノーファインダ判定部１１ｄは、下記の３つの条件を満たす場合に、ノーファインダ状態と判定する。
【００３２】
（１）カメラ１０の背面が覆われた状態であること。
通常の撮影時には、図１６（ａ）に示したように、表示部の画面を観察する必要があることから、表示画面前面が覆われることはない。カメラ１０の背面が覆われたか否かの判定は、反射検出部１１ａによって、タッチパネル１４の面全体から反射光が得られているか否かによって行う。この判定の詳細については、図２および図３を用いて後述する。
【００３３】
（２）カメラ１０がノーファインダ状態特有の姿勢にあること。
通常の撮影時には、図１６（ａ）に示すように、カメラ１０は横位置、場合によって縦位置に保持される。しかし、ノーファインダ撮影の場合には、図１３（ｃ）（ｄ）、図１４（ｃ）等に示されるように、通常の横位置や縦位置ではない姿勢となる。ノーファインダ状態の姿勢検出は、傾き検出部１１ｂによって行う。この判定の詳細については図２を用いて行う。
【００３４】
（３）カメラ１０の撮影レンズが露出していること。
上の２つの条件が満たされる場合であっても、鞄等に収納されている場合には、撮影レンズが露出しておらず、撮影しても真っ暗な状態である。そこで、このような場合にはノーファインダ撮影とならないことから、カメラ１０の撮影レンズの露出状態を判定する。判定にあたっては、撮像部２０から出力されるライブビュー画像が所定輝度以下であるかによって判定する。
【００３５】
記録制御部１１ｅは、ノーファインダ判定部１１ｄの出力を入力し、ノーファインダ判定部１１ｄがノーファインダ状態であることを判定した場合、撮影画像を記録するにあたって、円形画像に画像処理した後に記録する。
【００３６】
表示制御部１１ｆは、画像記憶部２５に記憶されている画像データに基づいて、インデックス画像として表示する際、表示画像の中にノーファインダ撮影された画像（ノーファインダ画像）が含まれている場合に、通常撮影された画像についても、円形画像にトリミングして表示する。また、インデックス画像を表示する場合、指示に応じて、インデックス画面上の各円形画像について、各画像の鉛直軸が表示部２７の画面の中央から外側に向かって放射状に並ぶように、各円形画像を回転させて表示する。
【００３７】
制御部１１には、プログラムおよびデータ記憶部１２、操作部１３、タッチパネル１４、加速度検出部１５、およびバス３０が接続されている。プログラムおよびデータ記憶部１２には前述したように制御部１１において実行するプログラムが記憶されており、また各種データも記憶されている。
【００３８】
操作部１３は、カメラ１０の外装に配置されたレリーズ釦、電源釦、ズーミングのためのテレ・ズーム（ＴＷ）釦、メニュー釦等の各種操作部材からなり、撮影者の指示を制御部１１に入力する。なお、ノーファインダ撮影は、メニュー釦によって設定されるメニュー画面において、直接設定し、また解除することができる。ノーファインダ撮影を一定時間継続しておきたい場合には、直接設定した方が、検出ミスのおそれがないからである。
【００３９】
タッチパネル１４は、表示部２７の前面に一体的に構成され、表示部２７の画面をユーザがタッチすると、タッチ位置に応じた信号を、反射検出部１１ａに出力する。ノーファインダ状態を検出する手段ともなる。タッチパネル１４の詳細については図２を用いて後述する。
【００４０】
加速度検出部１５は、カメラ本体の内部に配置された複数の加速度センサとそのドライバ等から構成され、カメラの姿勢やカメラに加えられた振動を検出する。加速度検出部１５の検出結果は、入力検出部１１ｃと傾き検出部１１ｂに出力され、撮像部２０に設けられる手振れ補正に用いられると共に、ノーファインダ状態を検出する手段ともなる。加速度検出部１５の詳細については図４を用いて後述する。
【００４１】
制御部１１は、バス３０に接続されており、このバス３０には、撮像部２０、ＳＤＲＡＭ２１、画像処理部２２、圧縮伸張部２３、記録再生部２４、表示処理部２６、時計部２８、通信部２９が接続されている。
【００４２】
バス３０に接続された撮像部２０は、被写体像を結像させるための撮影レンズ、被写体像を画像データに変換するための撮像素子、およびこれらの処理回路、撮影レンズの光路中に介挿された絞りおよびシャッタ等を含む。撮像部２０によって生成された画像データはバス３０に出力される。撮影レンズまたは撮像素子には、手振れ補正機能が設けられている。ノーファインダ撮影時には、カメラが不安定な状態で撮影されるので、手振れ補正を行うことにより、画像のぶれを防止することができる。
【００４３】
ＳＤＲＡＭ（Dynamic Random Access Memory）２１は、電気的に書き換え可能な不揮発性の一時記憶メモリであり、撮像部２０から出力される画像データの一時記憶に用いられる。また、ＳＤＲＡＭ２１内の一部の記憶領域が、円形画像を記録するために、仮記憶部Ａ２１ａと仮記憶部Ｂ２１ｂに割り当てられている。
【００４４】
画像処理部２２は、デジタル画像データのデジタル的増幅（デジタルゲイン調整処理）、ホワイトバランス、色補正、ガンマ（γ）補正、コントラスト補正、ライブビュー表示用画像生成、動画画像生成等の各種の画像処理を行なう。また、画像処理部２２内には、トリミング部２２ａおよび傾き補正部２２ｂが設けられている。トリミング部２２ａは、ノーファインダ撮影時に、矩形形状の撮影画像からその一部（例えば中央部）を円形にトリミング処理を行う。傾き補正部２２ｂは、円形画像の画面の傾きを補正し、また上述のトリミング処理された円形画像の傾きを、傾き検出部１１ｂによって検出された傾き値によって補正する。このトリミング処理および傾き補正については、図６および図８を用いて後述する。
【００４５】
また、再生時に、トリミング部２２ａは、ノーファインダ画像を含むインデックス画像表示の際には、通常撮影によって取得した画像に対して、画面中央部を円形にトリミング処理を行う。また、傾き補正部２２ｂは、再生時にユーザによって指示がなされると、インデックス画像の各円形画像を放射状に傾いて表示されるように、各画像に対して回転処理を行う。また、傾き補正部２２ｂは、単独画像表示の際に、タッチパネル１４へのスライド指示によって回転処理を行う。これらの再生時における処理については、図１０〜図１２を用いて後述する。
【００４６】
表示処理部２６は、撮影時にはライブビュー表示、再生時には再生画像を、表示部２７に表示させる。表示部２７は、表示処理部２６に接続されており、本体の背面等に配置された液晶モニタや有機ＥＬ等のディスプレイを有し、表示処理部１８による制御により画面に所定の画像が表示される。表示部２７の前面には、前述したように、タッチパネル１４が一体に構成されている。
【００４７】
圧縮伸張部２３はＳＤＲＡＭ１６や画像記憶部２５に記憶された静止画や動画の画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００４８】
記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。
【００４９】
画像記憶部２５は、記録再生部２４に接続されており、カメラ本体に内蔵、または装填可能な画像データの記録媒体である。画像データのタグ（ヘッダ）には、ノーファインダ判定部１１ｄによって判定されたノーファインダ撮影で撮影されたか否かの情報や、撮影日時等の情報が記録されている。
【００５０】
時計部２８は、計時機能を有し、また日時情報を出力する。撮影時には、この日時情報が画像データと共に画像記憶部２５に記録される。通信部２９は、ＵＳＢ端子を介して外部と通信を行う。通信方式としては、有線通信以外にも無線通信でも赤外線通信でも勿論かまわない。
【００５１】
次に、タッチパネル１４の構成と、その動作について、図２を用いて説明する。前述したように、タッチパネル１４は、ユーザによって表示部２７の表示面をタッチされた位置を検出すると共に、カメラ１０の背面が覆われた状態であるか否かを判定する。
【００５２】
本実施形態におけるタッチパネル１４は、液晶部１４ａ内に光センサ１４ｂをマトリックス状に所定間隔で２次元配置している。また、タッチパネル１４の背面側には、バックライト１４ｃを配置しており、このバックライト１４ｃから発光光４１ａが表示面側に照射される。この発光光４１ａが物体に照射し、その反射光４１ｂを光センサ１４ｂで受光すると、その受光位置に基づいて、タッチ位置を検出することができる。したがって、本実施形態においては、タッチパネル１４は、表示部２７を構成する液晶パネルの上に配置されるのではなく、液晶パネル内に一体に構成される。
【００５３】
図２（ａ）はユーザの指４３がタッチパネル１４に接近している場合、また図２（ｂ）はユーザの指４３がタッチパネル１４に密着した場合における、タッチパネル１４の模式的な断面図である。バックライト１４ｃからの発光光４１ａは、ユーザの指４３に反射されない場合には、図２（ａ）に示すように、そのまま外部に発散していく。また、ユーザの指４１がタッチパネル１４より少し離れているが、近接している場合には、図２（ａ）に示すように、発光光４１ｂは指４３で反射され、その反射光の一部は光センサ１４ｂによって受光され検出信号を反射検出部１１ａに出力する。このとき検出した光センサ１４ｂの位置に基づいて、タッチ位置を検出することができる。また、複数の位置にタッチした場合には、複数の光センサ１４ｂが反応するので、反応した光センサ１４ｂの位置を検出することにより、複数のタッチ位置を検出することができる。
【００５４】
さらに、ユーザの指４３がタッチパネル１４に近づくと、図２（ｂ）に示すように、バックライト１４ｃからの発光光４１ａが、指４３によって反射され、光センサ１４ｂによって検出される。
【００５５】
また、タッチパネル１４は、指４３によるタッチ以外にも、カメラ１０がポケット１１０等に入れられ、タッチパネル１４の全面、言い換えると、カメラ１０の背面側の全部が覆われる場合も検出することができる。図２（ｃ）は、カメラ１０がポケット１１０に入れられた様子を示している。この場合には、服４５のポケット１１０によって、バックライト１４ｃからの発光光４１ａが、略全面に亘って反射される。このため、略全部の光センサ１４ｂが反射光４１ｂを受光し、検出信号を反射検出部１１ａに出力する。従って、略全部の光センサ１４が反射光４１ｂを検出した場合には、ポケット１１０等によってカメラ１０の背面側が覆われている可能性が高いと判定できる。
【００５６】
本実施形態においては、タッチパネル１４によって、カメラ１０の背面側が覆われたことを検出するが、タッチパネル１４以外の手段によってこのことを検出しても良い。図３に、背面側が覆われたことを検出する他の例を示す。図３（ａ）は覆われた状態にあることを検出する専用の光学センサを背面に配置した例である。すなわち、表示部２７の周囲の３か所に受光センサ４５を配置している。
【００５７】
本発明の一実施形態においては、タッチパネル１４内に光センサ１４ｂをマトリックス状に配置し、指４３やポケット１１０等からの反射光４１ｂを検出していた。図３（ａ）に示す例では、光センサ１４ｂを省略し、代わりに発光部と受光センサの組が内蔵された受発光センサ４５が設けられる。発光部からの光が服の生地で反射された反射光を受光するようにしている。受光センサ４５の検出信号は、ノーファインダ判定部１１ｄに出力され、ノーファインダ判定部１１ｄは３つの受光センサ４５の全てで反射光を縦横した場合に、ノーファインダ状態であると判定する。
【００５８】
また、図３（ｂ）は、背面側が覆われていることを検出するさらに他の例である。この他の例では、カメラ１０の正面の撮影レンズ以外に、背面にも自分撮り用の撮像部を構成するレンズ４７を設けている。自分撮り用の撮像部は、通常の撮像部２０とは独立して画像を撮影するものであり、例えば、被写体撮影と同時に撮影中の撮影者の顔も撮影し、２つの画像を合成して記録し楽しむことができる。自分撮り用の撮像部からの画像データは、画像処理部２２等によって画像処理され、画像記憶部２５に記憶される。ここで、自分撮り用の撮像部からの画像データは、ノーファインダ判定部１１ｄにも出力され、ノーファインダ判定にも使用される。
【００５９】
ノーファインダ状態では、自分撮り用のレンズ４７が、撮影者の体等に密着して隠されてしまうので、自分撮り撮像部からの画像データが所定輝度以下になってしまう。そこで、ノーファインダ判定部１１ｄは、自分撮り撮像部からの画像データが所定輝度以下である場合には、ノーファインダ状態と判定する。
【００６０】
次に、加速度検出部１５の構成と、その動作について、図４を用いて説明する。前述したように、加速検出部１５を構成する加速度センサは、カメラ１０に加えられた振動を検出すると共に、カメラ１０がノーファインダ状態特有の姿勢にあるか否かを判定する。
【００６１】
加速度検出部１５の加速度センサは、図４（ａ）に示すように、チップ表面の固定金属部６２ａ、６２ｂと、架橋された金属部６１から構成されており、例えばＭＥＭＳプロセス等によって製造される。金属部６１は、４つの基点６１ａとこの基点６１ａによって保持されるＨ形状をした架橋部６１ｂと、固定金属部６２ａ、６２ｂとはす向かいに対向する可動部６１ｃとから構成される。加速度センサは、可動部６１ｃと固定金属部６２ａ、６２ｂで構成されるコンデンサの静電容量を検知する。
【００６２】
カメラ１０の姿勢を変えると、重力の加わる方向が変化し、そのため可動部６１ｃがたわんで変化し、コンデンサの静電容量が変化する。また、図２（ａ）中の矢印の方向に金属部６１が移動すると、コンデンサの静電容量が変化することから、この変化量を求めることにより、矢印方向の加速度αを検知することができる。
【００６３】
カメラ１０を動かすと、そのときの加速度αがプラスであるかマイナスであるかに基づいて、どちらの方向に動かされたのかが分かる。本実施形態においては、上下方向に動かされたか、左右（Ｘ方向）に動かされたか、前後方向（Ｚ方向）に動かされたかを、検出できるように、図４（ｂ）に示すように、カメラ１０内に加速度センサを、３つの方向に沿ってそれぞれ配置している。
【００６４】
図４（ｂ）は、カメラ１０の背面側からみた透視斜視図であり、加速度センサ１５０ｘ、１５０ｙ、１５０ｚをカメラ１０のボディ内の３か所に配置し、ＸＹＺ軸の３方向の加速度（αｘ、αｙ、αｚ）を検出する例を示す。カメラ１０の背面には表示部２７が設けられており、カメラ１０の内部には、加速度センサ１５０ｘ、１５０ｙ、１５０ｚが配置されている。加速度センサ１５０ｘは、カメラ１０の上部に幅方向（カメラの長手方向）の加速度αｘを検出する向きに配置されている。加速度センサ１５０ｙは、カメラ１０の背面側から見て左端部に上下方向の加速度αｙを検出する向きに配置されている。加速度センサ１５０ｚは、カメラ１０の底部に厚さ方向（撮像部２０の撮影レンズの光軸方向と同じ方向）の加速度αｚを検出する向きに配置されている。
【００６５】
加速度センサは、図４（ｂ）に示す各方向にカメラ１０の移動が有った場合には、図４（ｃ）に示すような信号を出力する。カメラ１０を叩くようなタッピングが行われると、パルスが発生し、タッピングの向きに応じて、プラスマイナスの極大値が変化する所定周波数の波形が現われる。この所定周波数のパルスを検出することにより、タップされたことを検出することができる。ノーファインダ撮影時には、レリーズ釦の押下げ操作に代えて、タップ検出によって撮影を行うようにしても良い。
【００６６】
次に、カメラ１０の姿勢を変化させた時の加速度センサ１５０ｘ〜１５０ｚの出力の変化例を示す。図１６（ａ）に示すような正しくカメラ１０を構えているような時（図中のタイミングｔ２）には、Ｙ方向のみに重力加速度がかかる。それに対して、ノーファインダ撮影状態に有る場合には（図中のタイミングｔ１またはｔ３）、加速度センサ１５０ｘの出力が加速度センサ１５０ｙの出力に対して、プラス側またはマイナス側に大きくずれる。したがって、ノーファインダ状態にあるか否かは、加速度センサ１５０ｘと１５０ｙの出力バランスをみることにより、カメラ１０の傾きを検出し、この検出結果に基づいて判定することができる。
【００６７】
次に、本実施形態における動作について、図６、図７および図１０に示すフローチャートを用いて説明する。このフローは主に制御部１１によって実行される。具体的には、反射検出部１１ａ、傾き検出部１１ｂ、入力検出部１１ｃ、ノーファインダ判定部１１ｄ、記録制御部１１ｅ等によって実行される。
【００６８】
撮影モードに入ると、まず、撮影再生の切り換えがなされたか否かの判定を行う（Ｓ１１）。撮影モード時に再生釦を操作することにより再生モードとなり、また再生モード時に再生釦を操作することにより撮影モードとなることから、このステップでは、再生釦の操作状態を判定する。
【００６９】
ステップＳ１における判定の結果、再生モードに切り換えがなされた際には、再生モードを実行する（Ｓ２２）。ここでは、画像記憶部２５に記憶されている画像データを読出し、表示部２７に再生表示する。再生表示にあたって、ノーファインダ撮影された画像については、円形画像で表示される。この再生モードの詳細については、図１０を用いて後述する。再生モードを実行すると、ステップＳ１１に戻る。
【００７０】
ステップＳ１１における判定の結果、再生モードに切り換えられていなかった場合には、撮影モードとして、まず、ノーファインダ判定を行う（Ｓ１１）。ここでは、図１３〜図１５を用いて説明したノーファインダ撮影状態であるか否かの判定を行う。ノーファインダ状態の判定条件としては、前述したように、
（１）カメラ１０の背面が覆われた状態であること、
（２）カメラ１０がノーファインダ状態特有の姿勢にあること、
（３）カメラ１０の撮影レンズが露出していること、
であり、これら３つの条件を満たしているか否かの判定を行う。このノーファインダ判定の詳細については、図７を用いて後述する。なお、メニュー画面において、ノーファインダ撮影が直接設定された場合には、ステップＳ１３における判定処理は省略し、ステップＳ１４に進む。
【００７１】
次に、ステップＳ１２におけるノーファインダ判定の結果に基づいて、ノーファインダか否かの判定を行う（Ｓ１３）。この判定の結果、ノーファインダでなかった場合には、通常撮影モードを実行する（Ｓ２３）。ここでは、撮像部２０からの画像データに基づいてライブビュー表示を行い、またＡＥやＡＦ等の処理を行う。
【００７２】
続いて、レリーズ釦が押下げられたか否かの判定を行う（Ｓ２４）。この判定の結果、レリーズ釦が押下げられていなかった場合には、ステップＳ１１に戻る。一方、レリーズ釦が押下げられていた場合には、通常記録を行う（Ｓ２５）。ここでは、レリーズ釦押下げ時の画像データを画像処理部２２で画像処理し、圧縮伸張部２３において圧縮処理した後、画像記憶部２５に記憶する。また、通常撮影によって撮影されたことも画像データと共に記録する。
【００７３】
ステップＳ１３における判定の結果、ノーファインダ状態であった場合には、ノーファインダモードに切り換える（Ｓ１４）。続いて、表示部２７において表示オフを行う（Ｓ１５）。ノーファインダ状態の際には、撮影者は表示部２７のライブビュー表示等を見ることがないので、省エネルギのために、表示部２７における表示を消す。
【００７４】
続いて、タップ検出されたか否かの判定を行う（Ｓ１６）。ノーファインダ状態では、図１６（ａ）に示すように、撮影者はカメラ１０を正しく構えておらず、レリーズ釦を押下げてレリーズを行うことは困難な場面も多い。そこで、本実施形態においては、カメラ１０に対してタップ操作を行うことにより、レリーズ動作を行うようにしている。したがって、このステップＳ１６においては、加速度検出部１５を用いて、タップ操作がなされたか否かの判定を行う。
【００７５】
ステップＳ１６における判定の結果、タップ検出がなされなかった場合には、ステップＳ１１に戻る。一方、タップ検出がなされた場合には、次に、撮影を行う（Ｓ１７）。ここでは、タップ検出がなされた際の撮像部２０から画像データを取得する。
【００７６】
続いて、トリミング処理を行う（Ｓ１８）。ステップＳ１７において、図８（ａ）に示すような撮影画像が得られたとすると、このステップＳ１８においては、撮影画像の画像データから、円形領域７１の画像（円形画像）を排除した部分を黒画像に変換し（図８（ｂ）参照）、この画像データを仮記憶部Ａ２１ａに一時記憶する。また、円形画像の画像データについては、仮記憶部Ｂ２１ｂに一時記憶する。
【００７７】
トリミング処理を行うと、次に、傾き補正を行う（Ｓ１９）。傾き補正は、仮記憶部２１ｂに一時記憶された円形画像を、図８（ｃ）に示すような傾きのない画像データに回転補正する。続いて、仮記憶部Ａ２１ａに一時記憶されている黒画像と、回転補正後の円形画像を合成する。
【００７８】
ステップＳ１９において傾き補正処理を行うと、次に、記録を行う（Ｓ２０）。ここでは、ステップＳ１９において生成された傾きのない円形画像の画像データを、圧縮伸張部２３において圧縮処理した後、画像記憶部２５に記憶する。また、ノーファインダ撮影によって撮影されたことも画像データと共に記憶する。
【００７９】
ステップＳ２０における記録を行うと、またはステップＳ２５における通常記録を行うと、次に、電源オフ操作か否かの判定を行う（Ｓ２１）。本実施形態においては、電源釦を操作すると電源がオンとなり、再度、電源釦を操作すると電源がオフとなることから、ここでは、電源釦の操作状態を判定する。この判定の結果、電源オフ操作がなされていなかった場合には、ステップＳ１１に戻る。一方、電源オフ操作がなされた場合には、電源オフ処理を行ってからこのフローを終了する。
【００８０】
次に、ステップＳ１２におけるノーファインダ判定の動作について、図７に示すフローチャートを用いて説明する。ノーファインダ判定のフローに入ると、まず、タイマが所定時間に達したか否かの判定を行う（Ｓ４１）。ノーファインダ状態であるか否かの判定にあたっては、バックライト１４ｃを発光させて行うが、バックライトを常時、点灯状態とすると電源を浪費してしまう。そこで、本実施形態においては、バックライト１４ｃの点灯は、所定時間間隔、例えば、５秒間間隔で行うようにしている。したがって、このステップでは、時計部２８による計時時間がバックライト１４ｃの消灯後、所定時間に達したか否かの判定を行う。この判定の結果、所定時間が経過していなかった場合には、ステップＳ４２およびＳ４３をスキップし、ステップＳ４６に進む。
【００８１】
ステップＳ４１における判定の結果、タイマによって所定時間の経過を判定すると、バックライト１４ｃの発光を行う（Ｓ４２）。続いて、画面全体で反射があったか否かの判定を行う（Ｓ４３）。ここでは、反射検出部１１ａによって、タッチパネル１４の略全面で、言い換えると略全部の光センサ１４ｂによってバックライト１４ｃの反射光を受光したか否かの判定を行う。
【００８２】
ステップＳ４３における判定の結果、画面全体で反射が有った場合には、次に、カメラが傾いているか否かの判定を行う（Ｓ４４）。前述したように、ノーファインダ状態の場合には、カメラ１０は正しく構えられていないことから、傾いている場合が多い。そこで、ここでは、加速度検出部１５の検出出力に基づき、傾き検出部１１ｂがカメラ１０の傾き状態を判定する。
【００８３】
ステップＳ４４における判定の結果、カメラが傾いていたと判定された場合には、次に、ライブビューが低輝度か否かの判定を行う（Ｓ４５）。前述したように、ノーファインダ状態の場合であっても、撮影レンズが被写体に向けられている限りは通常、ライブビュー画像の輝度信号は低輝度であることはない。ここでは、撮像部２０から出力されるライブビュー表示用の画像信号に基づいて判定する。
【００８４】
ステップＳ４５における判定の結果、ライブビューが低輝度でなかった場合には、ノーファインダと判定する（Ｓ４６）。ステップＳ４３〜Ｓ４５における判定の結果、ノーファインダ状態を判定するための３つの条件を満足したことから、ノーファインダと判定される。ここでノーファインダと判定されると、前述したステップＳ１３において、ノーファインダと判定される。
【００８５】
ステップＳ４３における判定の結果、画面全体で反射していなかった場合、またはステップＳ４４における判定の結果、カメラが傾いていなかった場合、またはステップＳ４５における判定の結果、ライブビューが低輝度であった場合には、通常状態と判定する（Ｓ４７）。この場合は、ステップＳ４３〜Ｓ４５において、ノーファインダ状態を判定するための３つの条件の内のいずれかを満足していないからである。通常状態と判定されると、前述したステップＳ１３においてノーファインダでないと判定される。ステップＳ４６またはＳ４７において、それぞれ判定すると、元のフローに戻る。
【００８６】
このように、本実施形態における撮影においては、ノーファインダ状態か否かを判定し、ノーファインダ状態であると判定された場合には、ノーファインダ撮影を行う。わざわざノーファインダ撮影の設定を行わなくても、自動的に判定し、所定の条件を満たす場合には、ノーファインダ撮影に切り換わるので、便利である。
【００８７】
また、本実施形態においては、通常撮影からノーファインダ撮影に切り換わると、撮影時に取得した撮影画像は、円形に画像処理を行い、この円形画像を記録する。矩形の撮影画像の場合、傾いていると、傾きが目立ち見苦しいが、円形画像の場合には多少の傾きは気にはならない。従って、記録画像の形状は円形に限られるものではなく、同等な効果を及ぼすような多角形状あるいは楕円形上であっても良い。
【００８８】
また、本実施形態においては、撮影時に取得した撮影画像に対して、ノーファインダ撮影の場合には、傾き補正を行ってから画像データの記録を行うようにしている。このため再生時に傾き補正を行う必要がない。特に、円形画像に対して傾き補正を行っているので、傾いていることが目立ちにくいという利点がある。
また、本実施形態においては、トリミングする位置を撮影画像の中央として説明してきたが、これに限られるものではなく、被写体の位置によって、あるいは撮影者の指示によって、撮影画像の任意の位置をトリミングするようにしても良い。
【００８９】
さらに、本実施形態においては、レリーズ釦の押下げではなく、タップ操作を検出し、タップ操作がなされた場合にレリーズ動作を行うようにしている。ノーファインダ撮影の場合には、カメラ１０をしっかり構えていないことからレリーズ動作をし難いが、タップ操作によって簡単にレリーズを行うことができる。
【００９０】
なお、本実施形態においては、ノーファインダ状態の判定として、カメラ１０の背面が覆われた状態であることを判定しており、このため、バックライト１４ｃの反射光を反射光検出部１１ａによって判定していた。しかし、背面が覆われていることを判定できれば、反射光の検出に限られない。例えば、カメラ１０のボディを撮影者が把持しているか否かを判定するようにしても良い。
【００９１】
図９はボディを把持しているか否かの検出機能を有するカメラを示す。すなわち、カメラ１０の背面には表示部２７の表示画面が設けられており、カメラ１０の底部であって、カメラ１０を構えた際に右手の親指がかかる位置に、操作部１３の１つとして把持検出用釦７５が配置されている。このような位置に把持検出用釦７５を配置しておくと、通常の撮影時には、把持検出用釦７５は押下げられ、一方、ノーファインダ撮影時には、把持検出用釦７５は押下げられることはないので、ノーファインダ状態の判定に用いることができる。
【００９２】
把持検出用釦７５を設ける以外にも、例えば、ストラップ１０８（図１３（ｂ）〜（ｄ）参照）に、カメラ１０の重力が加わったことを検出するテンションセンサを設け、このテンションセンサの検出出力に基づいて、ノーファインダ状態の判定を行うようにしても良い。
【００９３】
本実施形態においては、ノーファインダ状態の判定にあたっては、前述の（１）〜（３）の３つの条件を満足した場合に、ノーファインダ状態と判定していた。しかし、３つの条件を満足していなくても、（１）＋（２）、（１）＋（３）、（２）＋（３）のように、３つの内の２つの条件を満足した場合、あるいは、（１）または（２）のいずれか単独の条件を満たした場合に、ノーファインダ状態と判定するようにしても良い。各検出手段自体の精度、あるいは求めるノーファインダ状態の判定精度のレベルによって、適宜組み合わせれば良い。
【００９４】
次に、ステップＳ２２における再生モードについて、図１０に示すフローチャートを用いて説明する。再生モードのフローに入ると、まず、インデックス表示か否かの判定を行う（Ｓ５１）。インデックス表示は、画像記憶部２５に記憶されている画像を縮小し、複数の画像を一度に表示部２７に表示するモードである。本実施形態においては、このインデックス表示がデフォルト値として設定されている。テレ・ワイド釦を操作することにより、インデックス表示と単独表示を交互に切り換えることができる。
【００９５】
ステップＳ５１における判定の結果、インデックス表示でなかった場合には、単独画像の読出しを行う（Ｓ７１）。ここでは、画像記憶部２５に記憶されている画像データを読み出す。また、読出しにあたって、画像データと共に記憶されているノーファインダ撮影に関する情報も読み出す。
【００９６】
続いて、ノーファインダ画像であるか否かの判定を行う（Ｓ７２）。ここでは、ステップＳ７１において画像データを読み出す際に併せて読み出されたノーファインダ撮影に関する情報を用いて、ノーファインダ画像か否かの判定を行う。この判定の結果、ノーファインダ画像でなかった場合には、通常表示を行う（Ｓ７３）。ここでは、一般的な単独画像の再生表示を行う。
【００９７】
ステップＳ７２における判定の結果、ノーファインダ画像であった場合には、次に、カメラ姿勢の検出を行う（Ｓ７４）。ここでは、カメラ１０の現在の姿勢を、加速度検出部１５および傾き検出部１１ｂによって検出する。続いて、現在カメラが正立か否かの判定を行う（Ｓ７５）。ステップＳ７４において検出したカメラ姿勢が、例えば、±２０度以内であれば、正立と判定する。
【００９８】
ステップＳ７５における判定の結果、現在カメラが正立していなかった場合には、次に、カメラの向きに応じて回転補正を行う（Ｓ７６）。ここでは、ステップＳ７４によって検出されたカメラの姿勢に基づいて、傾き補正部２２ｂによって円形画像の回転補正を行う。
【００９９】
ステップＳ７６におけるカメラの向きに応じた回転補正を行うと、またはステップＳ７５における判定の結果、現在カメラが正立していた場合には、次に、タッチスライドがなされたか否かの判定を行う（Ｓ７７）。ユーザが表示部２７の表示画面に表示されている円形画像ａ（図１１（ａ）参照）を、手動により回転させたい場合には、回転方向に沿って指をＰ方向にスライドする（図１１（ｂ）参照）。そこで、このステップでは、タッチパネル１４上の指の動きを検出する。
【０１００】
ステップＳ７７における判定の結果、タッチスライドがあった場合には、スライド方向に応じて、回転補正を行う（Ｓ７８）。ここでは、スライド方向に応じて、傾き補正部２２ｂが、図１１（ｃ）に示すように、円形画像ａに対して回転補正を行う。
【０１０１】
ステップＳ５１における判定の結果、インデックス表示であった場合には、次に表示画像の読出しを行う（Ｓ５２）。ここでは、画像記憶部２５に記憶されているインデックス表示用の複数の画像データを読出す。また、読出しにあたって、画像データと共に記憶されているノーファインダ撮影に関する情報も読み出す。
【０１０２】
次に、ノーファインダ画像が含まれているか否かの判定を行う（Ｓ５３）。ここでは、インデックス表示用に読みだされた複数の画像の内、１つでもノーファインダ画像が含まれているか否かを判定する。この判定の結果、インデックス表示用の全ての画像がノーファインダ画像でなければ、通常表示を行う（Ｓ５４）。ここでは、一般的なインデックス表示を表示部２７の表示画面に行う。
【０１０３】
ステップＳ５３における判定の結果、インデックス表示用の画像の中にノーファインダ画像が１つでも含まれていれば、次に、ステップＳ７４と同様に現在のカメラ姿勢を検出する（Ｓ５５）。続いて、ステップＳ７５と同様に、現在カメラが正立しているか否かを判定する（Ｓ５６）。
【０１０４】
ステップＳ５６における判定の結果、現在カメラが正立していなかった場合には、次に、カメラの向きに応じて全て回転補正を行う（Ｓ５７）。ここでは、ステップＳ５５によって検出されたカメラの姿勢に基づいて、傾き補正部２２ｂによって円形画像の回転補正を行う。この回転補正により、カメラ１０の姿勢に応じた見やすい画像となる。
【０１０５】
なお、ノーファインダ画像が１つでも含まれていると、矩形で記録されている画像もトリミング部２２ａによって円形画像に表示形態を変更した後に表示される。図１２（ａ）に示す例では、円形画像ａ１〜ａ４はノーファインダ撮影によって取得された画像であるが、円形画像ｂ１、ｂ２は通常撮影によって取得された画像である。なお、通常撮影で取得した画像については、図１２（ａ）においては、破線で囲っているが、これ以外にも、外周の色を変更したり、また形状を変更する等、他の方法で識別できるようにしても良い。
【０１０６】
ステップＳ５６においてカメラの向きに応じて全ての回転補正を行うと、またはステップＳ５６における判定の結果、現在カメラが正立であった場合には、次に、サークル表示の指示がなされたか否かの判定を行う（Ｓ５８）。サークル表示は、インデックス表示を図１２（ｃ）に示すように、複数人でカメラ１０を囲むように見ている場合に、各人から見やすくするために、図１２（ｂ）に示すように円形画像の向きを放射状に変更する表示方法である。このサークル表示は、表示部２７の表示画面上に表示したサークル表示マーク７７を、ユーザがタッチすることにより、この表示切り換えるので、このステップでは、サークル表示マーク７７がタッチされたか否かを判定する。
【０１０７】
ステップＳ５８における判定の結果、サークル表示の指示がなされた場合には、次に、放射状に回転補正を行う（Ｓ５９）。ここでは、傾き補正部２２ｂによって、各円形画像の鉛直線方向が、表示画面の中心から放射線状になるように、回転補正を行う。なお、この回転補正は、カメラ１０を見る者に見やすくするためであることから、厳密に放射線状にならなくても良い。
【０１０８】
ステップＳ５９において放射状に回転補正を行うと、またはステップＳ５８における判定の結果、サークル表示指示がなされなかった場合には、またはステップＳ５４において通常表示を行うと、次に、画像選択がなされたか否かの判定を行う（Ｓ６０）。インデックス表示された画像の中から、ユーザが単独画像で見たい場合には、その画像をタッチ等により選択するので、ここでは、タッチ等により画像が選択されたか否かを判定する。この判定の結果、画像が選択された場合には、前述のステップＳ７１に進み、単独画像の再生表示を行う。
【０１０９】
ステップＳ６０における判定の結果、画像選択がなされなかった場合、またはステップＳ７８においてスライド方向に応じて回転補正を行った場合、またはステップＳ７７における判定の結果、タッチスライドがなされていなかった場合、またはステップＳ７３において通常表示を行うと、次に、別画像の指示がなされたか否かの判定を行う（Ｓ６１）。インデックス表示の場合には、十字釦等によりインデックス画面のページ送り・戻しを行い、また単独画像表示の場合には、十字釦等により画像送り・戻しを行うので、ここでは、十字釦等により、別画像の指示がなされたか否かの判定を行う。
【０１１０】
ステップＳ６１における判定の結果、別画像の指示がなかった場合には、電源オフか否かの判定を行う（Ｓ６２）。ここでは、電源釦の操作状態を判定する。この判定の結果、電源オフ操作がなされていなかった場合、またはステップＳ６１における判定の結果、別画像の指示がなされていた場合には、ステップＳ１１に戻る。一方、電源オフ操作がなされた場合には、電源オフ処理を行ってからこのフローを終了する。
【０１１１】
このように、本実施形態における再生においては、ノーファインダ撮影された画像か否かを判定し、ノーファインダ画像であると判定された場合には、ノーファインダ画像に相応しい再生を行う。すなわち、単独画像でノーファインダ画像を再生する場合には、カメラ姿勢に応じて、円形画像の回転補正を行っている。このため、カメラの姿勢に応じた見やすい画像となる。また、単独画像の再生表示の場合、タッチスライドにより、円形画像の向きを変更可能としている。このため、ユーザの意図に沿った向きで画像を表示することができる。
【０１１２】
また、本実施形態においては、インデックス表示の場合には、ノーファインダ画像が１つでも含まれている場合には、全てのインデックス画像を円形画像に変換した後にインデックス表示を行うようにしている。このため、通常撮影された画像が混在する場合でも、統一感のある表示を行うことができる。また、インデックス表示の場合でも、カメラ姿勢に応じて円形画像の回転補正を行っている。このため、カメラの姿勢に応じた見やすい画像となる。また、サークル表示指示がなされると、放射状に回転補正を行っている。このため、カメラ１０を囲んで色々な方向から同時に鑑賞することができ、新たな鑑賞方法を提案できる。
【０１１３】
なお、本実施形態においては、タッチスライドにより円形画像の向きを変更していたが、これ以外にも、例えば、ダイヤル等によって向きを変更するようにしても勿論かまわない。
【０１１４】
以上、説明したように、本発明の一実施形態においては、ノーファインダ状態と判定されると、撮影画像を円形画像に変形した後に記録している。このため、傾いた画像が記憶されたとしても、通常の矩形の画像に比較し、見たときの違和感を和らげることができる。
【０１１５】
また、本発明の一実施形態においては、ノーファインダ状態と判定されると、撮影画像に対して傾き補正を施した後に記録している。このため、再生時に傾き補正を行うことなく、直ちに傾きのない画像を鑑賞することができる。
【０１１６】
さらに、本発明の一実施形態においては、インデックス表示する際に、ノーファインダ撮影された画像が含まれている場合には、通常撮影された画像も円形画像で表示するので、統一感のある表示を行うことができる。
【０１１７】
なお、本発明の一実施形態においては、撮影画像の再生は、カメラ１０で行っていたが、これに限らず、他の再生装置、例えば、パーソナルコンピュータ、テレビ等で行っても良い。この場合、他の再生装置は、カメラ１０から画像データやノーファインダ撮影情報等を、通信部２９等を介して受信し、この受信した画像データや情報等に基づいて、図１０に示したようなフローチャートで再生すれば良い。
【０１１８】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１１９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１２０】
１０・・・カメラ、１１・・・制御部（ＣＰＵ）、１１ａ・・・反射検出部、１１ｂ・・・傾き検出部、１１ｃ・・・入力検出部、１１ｄ・・・ノーファインダ判定部、１１ｅ・・・記録制御部、１２・・・プログラム／データ記憶部、１３・・・操作部、１４・・・タッチパネル、１４ａ・・・液晶部、１４ｂ・・・光センサ、１４ｃ・・・バックライト、１５・・・加速度検出部、２０・・・撮像部、２１・・・ＳＤＲＡＭ、２１ａ・・・仮記憶部Ａ、２１ｂ・・・仮記憶部Ｂ、２２・・・画像処理部、２２ａ・・・トリミング部、２２ｂ・・・傾き補正部、２３・・・圧縮伸張部、２４・・・記録再生部、２５・・・画像記憶部、２６・・・表示処理部、２７・・・表示部、２８・・・時計部、２９・・・通信部、３０・・・バス、４１ａ・・・発光光、４１ｂ・・・反射光、４３・・・指、４５・・・受光センサ、４７・・・自分撮り用のレンズ、６１・・・金属部、６１ａ・・・基点、６１ｂ・・・架橋部、６１ｃ・・・可動部、６２ａ・・・固定金属部、６２ｂ・・・固定金属部、７１・・・円形領域、７５・・・把持検出用釦、７７・・・サークル表示マーク、１０４・・・ストラップピン、１０６・・・撮影レンズ、１０８・・・ストラップ、１０９・・・クリップ、１１０・・・ポケット、１１２・・・鞄、１２７・・・表示部、１５０ｘ・・・加速度センサ、１５０ｙ・・・加速度センサ、１５０ｚ・・・加速度センサ
【図１】
2011087167.tif 000003
【図２】
2011087167.tif 000004
【図３】
2011087167.tif 000005
【図４】
2011087167.tif 000006
【図５】
2011087167.tif 000007
【図６】
2011087167.tif 000008
【図７】
2011087167.tif 000009
【図８】
2011087167.tif 000010
【図９】
2011087167.tif 000011
【図１０】
2011087167.tif 000012
【図１１】
2011087167.tif 000013
【図１２】
2011087167.tif 000014
【図１３】
2011087167.tif 000015
【図１４】
2011087167.tif 000016
【図１５】
2011087167.tif 000017
【図１６】
2011087167.tif 000018